(57)【特許請求の範囲】
【請求項１】
メモリープレート（５）のための再生装置（１）であって、挿入シャフト（１０）及び少なくとも１つのローラ（１５，２０）を備えており、ローラが挿入シャフト（１０）内に差し込まれたメモリープレート（５）を回転によって再生位置へ搬送し、及び／又は再生位置内にあるメモリープレート（５）を回転によって逆方向に取り出し位置へ搬送するようになっている形式のものにおいて、少なくとも１つのローラ（１５，２０）が、メモリープレート（５）を再生位置へ送る進入平面に対してほぼ垂直に延びる回転軸（２５）を有しており、少なくとも１つのローラ（１５，２０）が進入平面に狭窄部（３０）を有しており、メモリープレート（５）の縁部領域（８５）が挿入シャフト（１０）内へのメモリープレート（５）の押し込み及び／又は挿入シャフト（１０）内からのメモリープレート（５）の押し出しに際して回転軸（２５）に対してほぼ垂直に狭窄部（３０）内に係合して、再生位置及び／又は取り出し位置へのメモリープレート（５）の搬送に際して狭窄部（３０）内を案内されるようになっており、少なくとも１つのローラ（１５，２０）が弾性的な材料から成っており、狭窄部（３０）の内側の制限部（４５）をメモリープレート（５）によって押し込む際に、狭窄部（３０）の側方の制限壁（５０，５５）が互いに押し合わされて、メモリープレート（５）の相対する表面（６０，６５）に係合するようになっていることを特徴とする、メモリープレートのための再生装置。
【請求項２】
ブラケット（３５，４０）を設けてあり、ブラケットにローラ（１５，２０）の回転軸（２５）が回転運動可能に支承されており、ブラケットが進入平面に対してほぼ平行な平面内で挿入シャフト（１０）内に回転運動可能に支承されており、挿入シャフト（１０）内に差し込まれたメモリープレート（５）の検出が、メモリープレート（５）によって圧力をブラケット（３５，４０）に生ぜしめた場合に行われるようになっている請求項１記載の再生装置。
【請求項３】
それぞれ１つのブラケット（３５，４０）に支承された２つのローラ（１５，２０）が設けられており、ブラケット（３５，４０）が相対的に回転運動可能に互いに結合されており、挿入シャフト（１０）内に差し込まれたメモリープレート（５）の検出が、ブラケット（３５，４０）をばね力に抗して押し離す場合に行われ、再生位置及び／又は取り出し位置へのメモリープレート（５）の搬送に際してブラケット（３５，４０）がばね力の作用下でローラ（１５，２０）で以てメモリープレート（５）を挟むようにメモリープレート（５）に係合するようになっている請求項２記載の再生装置。
【請求項４】
少なくとも１つのローラ（１５，２０）の回転がモータ駆動によって、ベルト伝動装置を介して行われるようになっている請求項１、２又は３記載の再生装置。
【請求項５】
側方の制限壁（５０，５５）が内側の制限部（４５）と逆の側の端部に狭窄部（３０）へ向いた隆起部（７０）を有している請求項１から４のいずれか１項記載の再生装置。
【請求項６】
少なくとも１つのローラ（１５，２０）が少なくとも部分的に、空気若しくはガスで満たされた中空室として構成されている請求項１から５のいずれか１項記載の再生装置。
【請求項７】
少なくとも１つのローラ（１５，２０）が少なくとも部分的に、液体で満たされた中空室として構成されている請求項１から６のいずれか１項記載の再生装置。
【請求項８】
側方の制限壁（５０，５５）に付加的な固定手段（７５，８０）を配置してあり、固定手段が挿入シャフト（１０）内に差し込まれたメモリープレート（５）の検出に際して側方の制限壁（５０，５５）を互いに押し合わせるようになっている請求項１から７のいずれか１項記載の再生装置。
【請求項９】
付加的な固定手段（７５，８０）として電磁石を用いて、電磁石が挿入シャフト（１０）内に差し込まれたメモリープレート（５）の検出によって作動されるようになっている請求項８記載の再生装置。
【発明の詳細な説明】
【０００１】
【発明の属する技術分野】
本発明は、メモリープレートのための再生装置であって、挿入シャフト及び少なくとも１つのローラを備えており、ローラが挿入シャフト内に差し込まれたメモリープレートを回転によって再生位置へ搬送し、及び／又は再生位置内にあるメモリープレートを回転によって逆方向に取り出し位置へ搬送するようになっている形式のものに関する。
【０００２】
【従来の技術】
ヨーロッパ特許公開第０５９４０４３Ａ２号明細書により、光学的なメモリープレートの情報を再生するための装置が公知であり、この場合、１つ若しくは２つのローラが、光学的なメモリープレートを作業位置へ引き込む若しくは作業位置から押し出すための１つの台車シャシーに設けられている。作業位置への搬送（引き込み）若しくは作業位置からの押し出しに際して、メモリープレートが回転するローラを介して活動する。２つのローラを使用する場合には、メモリープレートが両方のローラ間を通って活動する。ローラの回転軸が光学的なメモリープレートの押し込み（引き込み）方向若しくは押し出し方向に対して平行な平面内に位置している。従って、情報を有する表面全体がローラ上を活動する。
【０００３】
【発明の効果】
請求項１に記載の本発明に基づく構成においては利点として、メモリープレートの機械的な負荷が著しく減少させられ、それというのはメモリープレートの縁部領域しかローラによってつかまれないからである。メモリープレートの情報を有する表面への影響が避けられ、それというのはメモリープレートの縁部領域には情報が記録されていないからである。従って、メモリープレートを特に機械的な負荷に対して保護する引き込み兼押し出し機構(Einzug- und Ausschubmechanischmus)が実現できる。ローラが弾性的な材料から成っており、該ローラの狭窄部の内側の制限部をメモリープレートによって押し込む際に、狭窄部の側方の制限壁が互いに押し合わされて、メモリープレートの相対する表面に係合するようになっているので、メモリープレートの、狭窄部の内側の制限部に接触する縁部がローラの材料の弾性に基づき、機械的に、メモリープレートの、狭窄部の側方の制限壁によって押される表面と同じ程度にわずかしか負荷されない。
【０００４】
請求項２以下に、請求項１に記載の再生装置の有利な構成が記載してある。
【０００５】
特に有利には、ブラケットを設けてあり、ブラケットにローラの回転軸が回転運動可能に支承されており、ブラケットがメモリープレートの進入平面に対してほぼ平行な平面内で挿入シャフト内に回転運動可能に支承されており、挿入シャフト内に差し込まれたメモリープレートの検出が、メモリープレートによって圧力をブラケットに生ぜしめた場合に行われるようになっている。これによって、ローラが円形のメモリープレートを挿入シャフト内に押し込む若しくは挿入シャフトから押し出す際にメモリープレートの外側縁部に沿ったブラケットの運動によって案内され、その結果、メモリープレートの縁部領域がメモリープレートの押し込み行程若しくは押し出し行程中にローラの狭窄部内に確実に係合され、ブラケットが挿入シャフト内に差し込まれたメモリープレートの検出によって付加的に別の機能を満たす。
【０００６】
本発明の別の構成では、それぞれ１つのブラケットに支承された２つのローラが設けられており、ブラケットが相対的に回転運動可能に互いに結合されており、挿入シャフト内に差し込まれたメモリープレートの検出が、ブラケットをばね力に抗して押し離す、即ち押し開く場合に行われ、再生位置(Abspielposition)及び／又は取り出し位置へのメモリープレートの搬送に際してブラケットがばね力の作用下でローラで以てメモリープレートを挟むようにメモリープレートに係合する。これによって、わずかな材料しか必要としない特に簡単かつ経済的な押し込み兼押し出し機構(Einschub- und Ausschubmechanismus)を実現でき、押し込み兼押し出し機構が挿入シャフト内に差し込まれたメモリープレートの検出によって付加的に別の機能を満たす。このような押し込み兼押し出し機構の利点として、押し込み兼押し出し機構の対称的な構造が２つのローラ及び２つのブラケットで以て可能であり、従って互いに異なる部材の数がわずかになる。これによって、本発明に基づく再生装置の製造がさらに簡単、迅速及び安価に行われる。
【０００８】
さらに別の利点として、狭窄部の側方の制限壁間でのメモリープレートの締め付けがローラの弾性及び形状に基づき可能であり、その結果、付加的な固定手段が不要であり、従って材料費及び製造費が節減される。
【０００９】
さらに有利には、狭窄部の側方の制限壁が内側の制限部とは逆の側の端部に狭窄部内へ向いた隆起部を有している。これによって、狭窄部の側方の制限壁間でのメモリープレートの締め付け過程が付加的に助成され、その結果、締め付け過程を生ぜしめるためにメモリープレートを狭窄部の内側の制限部に接触させるべき圧力が減少せしめられ得る。
【００１０】
さらに有利には、少なくとも１つのローラが少なくとも部分的に、空気若しくはガスで満たされた中空室として構成されているか、若しくは少なくとも１つのローラが少なくとも部分的に、液体、有利には水で満たされた中空室として構成されている。これによって、ローラの弾性作用が高められ、従って、狭窄部の側方の制限壁間でのメモリープレートの締め付け過程が助成され、その結果、メモリープレートの締め付けのためにメモリープレートを狭窄部の内側の制限部に接触させるべき圧力がさらに減少せしめられ得る。
【００１１】
有利には、側方の制限壁に付加的な固定手段を配置してあり、固定手段が挿入シャフト内に差し込まれたメモリープレートの検出に際して側方の制限壁を互いに押し合わせるようになっている。これによって、狭窄部の側方の制限壁間でのメモリープレートの締め付け過程がさらに簡単になり、締め付け過程を生ぜしめるためにメモリープレートを狭窄部の内側の制限部に接触させるべき圧力がさらに減少せしめられ得る。
【００１２】
有利には、付加的な固定手段として電磁石を用いて、電磁石が挿入シャフト内に差し込まれたメモリープレートの検出によって作動されるようになっている。これによって、付加的な固定手段の特に簡単かつ安価な構成が得られる。
【００１３】
【発明の実施の形態】
図１の１ａにはローラ１５の断面が示してある。ローラ１５は回転軸２５を有している。回転軸２５は、駆動軸のための円筒形の切欠き９０内に位置しており、該切欠きは回転軸２５と同軸的である。この場合、駆動軸はモータによってベルト伝動装置を介して運動させられ、その結果、ロータ１５が回転軸２５を中心として回転する。ローラ１５は回転軸２５に対して垂直に狭窄部(Einschnuerung)３０を有しており、狭窄部はローラ１５の周囲にわたって中断することなしに形成され、図１の１ｂの平面図で見て回転軸２５及び切欠き９０に対して同軸的なリングとして構成されている。この場合、狭窄部３０は上側に位置する側方の制限壁(seitliche Begrenzungswand)５０及び下側に位置する側方の制限壁５５を有しており、これらの制限壁が内側の制限部(innere Begrenzung)４５を介して互いに結合されている。側方の制限壁５０，５５は内側の制限部４５とは逆の側の端部に狭窄部３０に向けてそれぞれ隆起部７０を有している。
【００１４】
図２には同じエレメントが同じ符号で示してある。図２の２ａが同じくローラ１５の断面を示しており、回転軸２５に対して垂直に、例えばコンパクトディスクとして形成されたメモリープレート(Speicherplatte)５が縁部領域８５で以て片側から狭窄部３０内に、まず内側の制限部４５及び側方の各制限壁５０，５５の隆起部７０に接触することなしに突入している。メモリープレート５の第１の表面６０が、上側に位置する側方の制限壁５０に向けられており、かつメモリープレート５の第１の表面６０に相対する第２の表面６５が下側に位置する側方の制限壁５５に向けられている。図２の２ｂに示してあるように、メモリープレート５が今や内側の制限部４５を押し、その結果、狭窄部３０の側方の制限壁５０，５５が互いに押圧して、メモリープレート５の相対する表面６０，６５に係合する。この場合、上側に位置する側方の制限壁５０がメモリープレート５の第１の表面６０を縁部領域８５で押し、かつ下側に位置する側方の制限壁５５がメモリープレート５の第２の表面６５を縁部領域８５で押す。メモリープレート５の縁部領域８５には情報は存在しておらず、従って、側方の制限壁５０，５５及び内側の制限部４５の押圧によるメモリープレート５の縁部領域の機械的な負荷が情報損傷を生ぜしめるようなことはない。ローラ１５は弾性的な材料から形成されていて、少なくとも部分的に、空気若しくはガスの充填された中空室として構成されており、その結果、縁部領域８５の機械的な負荷が減少される。ローラ１５は選択的に若しくは付加的に液体、例えば水を充填されていてよい。弾性的な材料としては、例えば比較的柔らかいゴムが適している。ローラ１５の材料及び充填による弾性及び狭窄部３０の形状に基づき、メモリープレート５の縁部領域８５による内側の制限部４５の押し込みに際して側方の制限壁５０，５５の挟み付け運動(Zangenbewegung)を生ぜしめ、該挟み付け運動が狭窄部３０内でのメモリープレート５の締め付けを生ぜしめる。
【００１５】
図３の３ａ，３ｂには、例えばコンパクトディスクプレーヤ(Compact-Disc-Spieler)として形成された再生装置１が挿入シャフト(Eingabeschacht)１０で示してある。挿入シャフト１０には第１のブラケット(Buegel)３５及び第２のブラケット４０が配置されている。図３においても、同じエレメントには同じ符号が付けてある。第１のブラケット３５の１つの端部には、該第１のブラケット３５に対して垂直に、ローラ１５の回転軸２５若しくは切欠き９０内に差し込まれた駆動軸が回転可能に支承されている。第２のブラケット４０の１つの端部には、第１のローラ１５の構造に相応する第２のローラ２０の回転軸２５若しくは切欠き９０内に配置された駆動軸が回転可能に支承されている。両方のブラケット３５，４０はそれぞれローラ１５，２０とは逆の側の端部で互いに結合されていて、メモリープレート５を再生位置へ送る進入平面に対してほぼ平行な平面内に運動可能に支承されている。メモリープレート５を再生位置へ送る進入平面は、メモリープレート５を再生位置から取り出し位置へ送る平面に相応している。両方のブラケット３０，４０はばね９５を介して付加的に互いに結合されている。
【００１６】
図３の３ａの平面図には、メモリープレート５を挿入シャフト１０内へどのように差し込むかが示してある。差し込み方向は符号１００で示してある。メモリープレート５をローラ１５，２０に押し当てると、両方のブラケット３５，４０によって形成された挟み機構がメモリープレート５に対して、ばね９５のばね力によって規定された角度に開かれる。ローラ１５，２０の回転軸２５は、メモリープレート５を挿入シャフト１０内へ差し込む進入平面に対してほぼ垂直に延びている。図３の３ａに示してあるように、メモリープレート５を挿入シャフト１０内へ差し込む際に、縁部領域８５の一部分がローラ１５，２０の狭窄部３０内に係合する（図２の２ｂ）。ローラ１５，２０を備えた両方のブラケット３５，４０の対称的な配置に基づき、縁部領域８５はほぼ同時に両方のローラ１５，２０の狭窄部３０と係合する。挿入シャフト１０内へのメモリープレート５の引き続く押し込みに際して、ブラケット３５，４０が互いに押し離され、挿入シャフト１０内へ差し込まれたメモリープレート５の検出が行われる。次いで、両方のローラ１５，２０がモータ及びベルト伝動装置によって回転される。挿入シャフト１０の差し込み開口を基準として左側に配置された第１のローラ１５が、図３の３ａの平面図で見て逆時計回りに運動し、かつ対応して右側に配置された第２のローラ２０が時計回りに運動する。これによって、メモリープレート５がさらに挿入シャフト１０内に引き込まれ、この場合同時に両方のブラケット３５，４０がばね９５の力に抗して押し離され、第１のブラケット３５が図３の３ａで見て時計回り方向に運動させられ、かつ第２のブラケット４０が逆時計回り方向に運動させられる。図３の３ｂでは、メモリープレート５の押し込み行程はほぼ終えられ、両方のローラ１５，２０の回転は変わることなく継続され、両方のブラケット３５，４０が再び接近させられ、それというのはメモリープレート５が直径に相当する最大の幅で以てローラ１５，２０を通過しているからである。これによって、第１のブラケット３５が逆時計回りに運動し、第２のブラケット４０が時計回りに運動する。両方のローラ１５，２０の回転は、メモリープレート５が再生位置に達すると直ちに終わる。再生位置の検出は当業者にとって公知の形式で例えば、反射式ライトバリア(Reflexionslichtschranke)によって行われてよい。
【００１７】
メモリープレート５の縁部領域８５をローラ１５，２０の狭窄部３０と係合させるために、狭窄部３０がメモリープレート５の進入平面内に配置されねばならない。縁部領域８５はメモリープレート５を回転軸５に対してほぼ垂直に挿入シャフト１０内へ差し込む際に狭窄部３０内に係合して、かつ再生位置へのメモリープレート５の送りに際して狭窄部３０内を案内される。
【００１８】
メモリープレート５を挿入シャフト１０内に差し込んで再生位置へ送ることに対応して、挿入シャフト１０からのメモリープレート５の押し出しも行われ、該押し出しは例えば、再生装置１の操作フロントに設けられた適当な操作エレメントの操作によって導入される。この場合、メモリープレート５が再生位置から再び縁部領域８５で以てローラ１５，２０の狭窄部３０と係合させられて、両方のブラケット３５，４０を挟みのように開くために後ろ側から逆方向にローラ１５，２０の狭窄部の内側の制限部に押し付けられ、狭窄部３０の側方の制限壁５０，５５が図２の２ｂに示すように再び互いに押し合わされて、メモリープレート５の相対する表面６０，６５に接触する。同時に、両方のブラケット３５，４０が再びばね９５のばね力に抗して互いに押し離され、これによって再び挿入シャフト１０内でのメモリープレート５の検出が行われ、ローラ１５，２０が再び回転させられ、この場合、回転はメモリープレート５の差し込み時とは逆方向に行われる。即ち、メモリープレート５の差し込みの図３で述べたプロセスが逆の順序で行われ、従って、押し出し行程の終端でメモリープレート５が取り出しのために挿入シャフト１０から突出して、もはや両方のブラケット３５，４０に対して押し付けられず、メモリープレート５が取り出し位置で検出されて、ローラ１５，２０の回転が終えられる。今や、メモリープレート５が挿入シャフト１０の取り出し位置から使用者によって取り出される。
【００１９】
メモリープレート５を再生位置若しくは取り出し位置へ送る際に、ブラケット３５，４０はばね９５のばね力の作用下でローラ１５，２０で以てメモリープレート５を挟むようにつかみ、メモリープレート５の縁部領域８５がローラ１５，２０の狭窄部３０内に係合されて、狭窄部３０内を案内される。
【００２０】
挿入シャフト１０内へのメモリープレート５の押し込み行程のため若しくは挿入シャフトからのメモリープレートの押し出し行程のために１つのローラ１５，２０を備える唯一のブラケット３５，４０しか用いないことも可能である。この場合には、１つのローラ１５，２０が既に述べた形式で１つのブラケット３５，４０に取り付けられ、１つのブラケット４５，４０が挿入シャフト１０内への進入平面に対してほぼ平行な平面に回転運動可能に支承される。１つのブラケット３５，４０の支承は例えば挿入シャフト１０の１つの側壁で行われる。さらにブラケット３５，４０はばねによって前記側壁に結合されていてよく、従ってばねのばね力に抗してブラケット３５，４０がメモリープレート５の押し込み行程若しくは押し出し行程時に前記側壁から離れる方向に押されるようになっており、該側壁と一緒にブラケットはばねの弛緩状態で挿入シャフト１０の開口部に向かって開いた挟み機構を形成している。
【００２１】
挟み機構の前述の開き方向によって図３の実施例と同じく利点として、挿入シャフト１０内に差し込まれたメモリープレート５ができるだけ早期に挿入シャフト１０内で検出され、その結果、ローラができるだけ早期に回転させられる。挿入シャフト１０の挿入開口とは逆向きに挟み機構を開くことも技術的には可能であるが、挿入シャフト１０内へのメモリープレート５の差し込みの検出が遅れることになる。
【００２２】
挿入シャフト１０内でのメモリープレート５の検出は、１つのブラケット３５，４０しか使用しない場合にも同じく、メモリープレート５が図２に示すようにローラ１５，２０の狭窄部３０と係合させられて、ばねのばね力に抗して圧力をブラケット３５，４０に生ぜしめることによって行われる。ローラ１５，２０の狭窄部３０内での縁部領域８５の案内が前述の実施例と同様に行われる。挿入シャフト１０の、ブラケット３５，４０が結合された側壁に、進入平面でメモリープレート５の縁部領域８５のための適当な案内部が設けられていてよく、これによってメモリープレート５が再生位置へ若しくは取り出し位置へ確実にかつわずかな力で搬送される。
【００２３】
別の実施例において側方の制限壁５０，５５に付加的な固定手段(Befestigungsmittel)７５，８０を配置してあってよく、固定手段が挿入シャフト１０内に差し込まれたメモリープレート５の検出に際して、例えば再生位置若しくは取り出し位置へのメモリープレート５の送りのために付加的に側方の制限壁５０，５５を互いに押し付ける。このために図４に示すように、電磁石を用いてよく、電磁石が挿入シャフト１０内に差し込まれたメモリープレート５の検出によって作動せしめられる。図４においては図２に対して異なる点として、上側に位置する側方の制限壁５０に電磁的な第１のリング（電磁石[Elektromagnet]）７５が配置されており、かつ下側に位置する側方の制限壁５５に電磁的な第２のリング８０が配置されている。電磁石７５，８０を作動すると、電磁石は互いに引き合い、その結果、上側に位置する側方の制限壁５０と下側に位置する側方の制限壁５５とが互いに押し合わされて、図４の４ｂに示すように、メモリープレート５の、狭窄部３０内にある縁部領域８５に係合する。メモリープレート５の縁部領域８５が図４の４ａに示すように内側の制限部４５に接触していない間は、圧力が対応するブラケット３５，４０に生ぜしめられず、従って、挿入シャフト１０内に差し込まれたメモリープレート５の検出が行われておらず、側方の制限壁５０，５５も電磁石７５，８０によって押し合わされていない。側方の１つの制限壁５０，５５にのみ１つの電磁石を配置して、別の制限壁５０，５５には対応する磁気的な若しくは磁化可能な材料を配置することも考えられる。
【００２４】
さらに、付加的な固定手段７５，８０として側方の制限壁５０，５５に、例えばプラスチックから形成されて電気的に作動可能なスライダ(Sieber)を配置することもでき、スライダが挿入シャフト１０内に差し込まれたメモリープレート５の検出に際して側方の制限壁５０，５５を互いに押し合わせ、その結果、制限壁がメモリープレート５の縁部領域８５に係合する。
【００２５】
付加的な固定手段７５，８０は、メモリープレート５をばね９５のばね力に抗してローラ１５，２０の内側の制限壁４５に対して押し付けるべき圧力が十分でなく、従って側方の制限壁５０，５５が互いに十分に押し合わされず、その結果、縁部領域８５の対応する箇所への十分な圧着力を形成できず、ローラの回転によってメモリープレート５を再生位置若しくは取り出し位置へ搬送できない場合にのみ必要とされる。
【００２６】
ローラ１５，２０の駆動のための別の構成及び付加的な固定手段の別の構成も、本発明を逸脱することなしに可能である。
【図面の簡単な説明】
【図１】本発明に基づくローラの断面図及び平面図
【図２】メモリープレートをローラの狭窄部内へ導入する状態の２つの位置での断面図
【図３】メモリープレートを再生装置の挿入シャフト内へ引き込むための引き込み機構若しくは再生装置の挿入シャフトから押し出すための押し出し機構の平面図
【図４】別の実施例のローラの断面図及び平面図
【符号の説明】
１  再生装置、    ５  メモリープレート、    １０  挿入シャフト、    １５，２０  ローラ、    ２５  回転軸、    ３０  狭窄部、    ３５，４０  ブラケット、    ４５  制限部、    ５０，５５  制限壁、    ６０，６５  表面、    ７０  隆起部、    ７５，８０  固定手段、    ８５  縁部領域、    ９０  切欠き、    ９５  ばね
【図１】
0004051129.tif 000002
【図２】
0004051129.tif 000003
【図３】
0004051129.tif 000004
【図４】
0004051129.tif 000005